(57)【要約】【課題】バーナボディ２の開放面を覆う燃焼板３を有するバーナ１と、バーナボディ２の開放面を囲うボディフランジ部２２に締結される燃焼筐フランジ部４１を有する燃焼筐４とを備える燃焼装置であって、燃焼板フランジ部３３とボディフランジ部２２との間に介設される部分８ａと燃焼筐フランジ部４１とボディフランジ部２２との間に介設される部分８ｂとを有するパッキン８をボディフランジ部２２に装着溝を形成せずに位置決めできるようにし、バーナボディ２を板金製とすることを可能にする。【解決手段】燃焼筐フランジ部４１の外周縁に、パッキン８の外周縁に対向する外側突起８１が曲成されると共に、燃焼板３に、パッキン８の内周縁に対向する内側突起８２が設けられる。燃焼筐フランジ部４１がボディフランジ部２２に締結された状態で外側突起８１及び内側突起８２がボディフランジ部２２に当接し、パッキン８の圧縮代が適切に管理されるようにする。【選択図】図５
2019109019.tif 000002
【特許請求の範囲】
【請求項１】
内部に混合気が供給されるバーナボディと、バーナボディの開放面を覆う、混合気噴出部を有する燃焼板とから成るバーナと、バーナボディの開放面を囲うボディフランジ部に締結される一端外周の燃焼筐フランジ部を有し、内部に熱交換器を収納した燃焼筐とを備える燃焼装置であって、
燃焼板の外周に、ボディフランジ部及び燃焼筐フランジ部の内周縁よりも外側に張出し、外周縁がボディフランジ部及び燃焼筐フランジ部の外周縁よりも内側に位置する燃焼板フランジ部が設けられると共に、燃焼板フランジ部とボディフランジ部との間に介設される部分と燃焼板フランジ部の外周縁よりも外側に位置する燃焼筐フランジ部とボディフランジ部との間に介設される部分とを有するパッキンが設けられて、燃焼筐フランジ部がボディフランジ部にパッキンを挟んだ状態で締結されるものにおいて、
燃焼筐フランジ部の外周縁に、パッキンの外周縁に対向する、ボディフランジ部側に起立した外側突起が曲成されると共に、燃焼板に、パッキンの内周縁に対向する、ボディフランジ部側に起立した内側突起が設けられ、燃焼筐フランジ部がボディフランジ部に締結された状態で外側突起及び内側突起がボディフランジ部に当接することを特徴とする燃焼装置。
【請求項２】
請求項１記載の燃焼装置であって、前記燃焼板に、前記バーナボディ内の混合気を前記混合気噴出部に導く多数の分布孔が形成された分布板が設けられ、分布板の外周縁に前記内側突起が曲成されることを特徴とする燃焼装置。
【請求項３】
前記燃焼板フランジ部の外周縁の一部に、前記パッキンに形成した孔に差し込まれる爪部が曲成されることを特徴とする請求項１又は２記載の燃焼装置。
【発明の詳細な説明】
【技術分野】
【０００１】
本発明は、内部に混合気が供給されるバーナボディと、バーナボディの開放面を覆う、混合気噴出部を有する燃焼板とから成るバーナと、バーナボディの開放面を囲うボディフランジ部に締結される一端外周の燃焼筐フランジ部を有し、内部に熱交換器を収納した燃焼筐とを備える燃焼装置に関する。
【背景技術】
【０００２】
従来、この種の燃焼装置として、特許文献１により、燃焼板の外周に、ボディフランジ部及び燃焼筐フランジ部の内周縁よりも外側に張出し、外周縁がボディフランジ部及び燃焼筐フランジ部の外周縁よりも内側に位置する燃焼板フランジ部が設けられると共に、燃焼板フランジ部とボディフランジ部との間に介設される部分と燃焼板フランジ部の外周縁よりも外側に位置する燃焼筐フランジ部とボディフランジ部との間に介設される部分とを有するパッキンが設けられて、燃焼筐フランジ部がパッキンを挟んだ状態でボディフランジ部に締結されたものが知られている。このものでは、燃焼板フランジ部が燃焼筐フランジ部に直接接触し、更に、バーナと熱交換器との間の燃焼筐の部分にウォータジャケット等の冷却手段が設置されている。従って、冷却手段による冷熱が伝達される燃焼筐フランジ部に燃焼板フランジ部を介して燃焼板の熱を逃がすことができる。
【０００３】
ところで、特許文献１に記載のものでは、ボディフランジ部にパッキンを装着する溝を形成し、パッキンを位置決めできるようにしている。ここで、ボディフランジ部にパッキン装着溝を形成するには、ボディフランジ部を肉厚にする必要がある。そのため、バーナボディをダイキャスト品で構成せざるを得なくなり、コストダウンを図る上で障害になっている。
【先行技術文献】
【特許文献】
【０００４】
【特許文献１】特開２０１７−７８５４２号公報
【発明の概要】
【発明が解決しようとする課題】
【０００５】
本発明は、以上の点に鑑み、ボディフランジ部にパッキン装着溝を形成しなくともパッキンを位置決めできるようにし、バーナボディを板金製とすることを可能とした燃焼装置を提供することをその課題としている。
【課題を解決するための手段】
【０００６】
上記課題を解決するために、本発明は、内部に混合気が供給されるバーナボディと、バーナボディの開放面を覆う、混合気噴出部を有する燃焼板とから成るバーナと、バーナボディの開放面を囲うボディフランジ部に締結される一端外周の燃焼筐フランジ部を有し、内部に熱交換器を収納した燃焼筐とを備える燃焼装置であって、燃焼板の外周に、ボディフランジ部及び燃焼筐フランジ部の内周縁よりも外側に張出し、外周縁がボディフランジ部及び燃焼筐フランジ部の外周縁よりも内側に位置する燃焼板フランジ部が設けられると共に、燃焼板フランジ部とボディフランジ部との間に介設される部分と燃焼板フランジ部の外周縁よりも外側に位置する燃焼筐フランジ部とボディフランジ部との間に介設される部分とを有するパッキンが設けられて、燃焼筐フランジ部がボディフランジ部にパッキンを挟んだ状態で締結されるものにおいて、燃焼筐フランジ部の外周縁に、パッキンの外周縁に対向するボディフランジ部側に起立した外側突起が曲成されると共に、燃焼板に、パッキンの内周縁に対向するボディフランジ部側に起立した内側突起が設けられ、燃焼筐フランジ部がボディフランジ部に締結された状態で外側突起及び内側突起がボディフランジ部に当接することを特徴とする。
【０００７】
本発明によれば、外側突起と内側突起によりパッキンが位置決めされる。そのため、ボディフランジ部にパッキン装着溝を形成しなくてもパッキンを位置決めできる。その結果、バーナボディを板金製として、コストダウンを図ることが可能になる。更に、ボディフランジ部への外側突起及び内側突起の当接で、パッキンの圧縮代を適切に管理することができ、組立作業性が向上する。
【０００８】
尚、燃焼板に、内側突起を形成した部材を取付けることも可能である。但し、燃焼板に、バーナボディ内の混合気を混合気噴出部に導く多数の分布孔が形成された分布板を設ける場合は、分布板の外周縁に内側突起を曲成することが望ましい。これによれば、分布板を内側突起の形成部材に兼用して、部品点数を削減することができる。
【０００９】
また、本発明においては、燃焼板フランジ部の外周縁の一部に、パッキンに形成した孔に差し込まれる爪部を曲成することが望ましい。これによれば、パッキンの位置決め精度を向上できる。
【図面の簡単な説明】
【００１０】
【図１】本発明の実施形態の燃焼装置の斜視図。
【図２】図１とは反対側から見た実施形態の燃焼装置の斜視図。
【図３】図１のＩＩＩ−ＩＩＩ線で切断した断面図。
【図４】図３のＩＶ−ＩＶ線で切断した断面図。
【図５】実施形態の燃焼装置の要部の拡大断面図。
【図６】実施形態の燃焼装置の分解状態（バーナボディは省略）の斜視図。
【発明を実施するための形態】
【００１１】
図１乃至図４を参照して、本発明の実施形態の燃焼装置は、内部に混合気（燃料ガスと一次空気との混合ガス）が供給されるバーナボディ２と、バーナボディ２の下向きの開放面２１を覆う、混合気噴出部３１を有する板金製の燃焼板３とから成るバーナ１と、バーナボディ２の開放面２１を囲うボディフランジ部２２に締結される上端外周の燃焼筐フランジ部４１を有する板金製の燃焼筐４とを備えている。燃焼筐４の内部には、給湯用の熱交換器５が収納されている。
【００１２】
バーナボディ２の上方への盛上り部側面には、混合気を供給する図外のファンを接続する流入口２３が開設されている。燃焼板３は、中央部に大きな開口部を有している。そして、この開口部に、多数の炎孔を形成した炎孔板３１ａを下面に耐熱繊維の織布３１ｂを重ね合せた状態で装着し、炎孔板３１ａ及び織布３１ｂにより混合気噴出部３１を構成している。また、燃焼板３には、炎孔板３１ａよりも上方に位置させて、多数の分布孔３２ａ（図６参照）が形成された分布板３２が設けられている。ファンからバーナボディ２内に供給された混合気は、分布板３２を介して混合気噴出部３１に導かれ、混合気噴出部３１から噴出して全一次燃焼する。分布板３２を設ける理由は、バーナ１の小型化のため、バーナボディ２内の混合気分布空間を狭めても、混合気噴出部３１の全域に均等に混合気が導かれるようにするためである。尚、大きな開口部を有しない燃焼板に多数の炎孔を形成し、これらの炎孔で混合気噴出部を構成することも可能である。
【００１３】
熱交換器５は、多数のフィン５１とこれらフィン５１を貫通する複数の吸熱管５２とを備えるフィンチューブ型熱交換器で構成されている。燃焼筐４の横方向一方と他方の側板４２，４３の外側には、隣り合う２本の吸熱管５２，５２を接続する接続箱５３が複数設けられており、全ての吸熱管５２が直列に接続される。また、上流端の吸熱管５２に接続される接続箱５３には入水口５４が設けられている。
【００１４】
また、燃焼筐４のバーナ１と熱交換器５との間の部分には、燃焼筐４を冷却する冷却手段として、熱交換器５の下流側に接続されるウォータジャケット６が設けられている。このウォータジャケット６は、燃焼筐４の後側の側板４４に設けられた横方向にのびる上下３本の第１水管６１と、燃焼筐４の前側の側板４５に設けられた横方向にのびる上下３本の第３水管６３と、燃焼筐４の横方向一方の側板４２に設けられた、第１水管６１と第３水管６３とを接続する前後方向にのびる上下３本の第２水管６２と、燃焼筐４の横方向他方の側板４３の後方寄りの部分の外側に設けられた、熱交換器５を通過した水を第１水管６１に導く流入側ヘッダ６ｉｎと、燃焼筐４の横方向他方の側板４３の前方寄りの部分及び上部に設けられた、第３水管６３からの水が流入する流出側ヘッダ６ｏｕｔとで構成され、流出側ヘッダ６ｏｕｔに、給湯路を接続する出湯口６４が設けられている。これにより、熱交換器５を通過した水（温水）は、流入側ヘッダ６ｉｎから第１水管６１と第２水管６２と第３水管６３とを介して流出側ヘッダ６ｏｕｔに流れ、出湯口６４から給湯路に供給される。
【００１５】
また、燃焼筐４の前側の側板４５には、当該側板４５を貫通して燃焼筐４内に突出する印加電極７１ａと接地電極７１ｂから成る点火プラグ７１と、フレームロッド７２とを有する電極部品７が装着されている。尚、電極部品７には、燃焼筐４内を視認できる覗き窓７３が付設されている。
【００１６】
図５に明示する如く、燃焼板３の外周には、ボディフランジ部２２及び燃焼筐フランジ部４１の内周縁よりも外側に張出し、外周縁がボディフランジ部２２及び燃焼筐フランジ部４１の外周縁よりも内側に位置する燃焼板フランジ部３３が設けられている。また、燃焼板フランジ部３３とボディフランジ部２２との間に介設される部分８ａと、焼板フランジ部３３の外周縁よりも外側に位置する燃焼筐フランジ部４１とボディフランジ部２２との間に介設される部分８ｂとを有するパッキン８が設けられている。そして、燃焼筐フランジ部４１がボディフランジ部２２にパッキン８を挟んだ状態で締結されるようにしている。
【００１７】
ここで、本実施形態では、燃焼板フランジ部３３が燃焼筐フランジ部４１に直接接触することになる。そのため、ウォータジャケット６による冷熱が伝達される燃焼筐フランジ部４１に燃焼板３からの熱を逃がすことができ、燃焼板フランジ部３３の温度が下がる。その結果、パッキン８として耐熱温度が比較的低い安価なものを用いることが可能になる。
【００１８】
尚、燃焼板３の前後の燃焼板フランジ部３３の燃焼筐４内に張出す内側部分の下面には、断熱材９が取付けられている。これにより、混合気の燃焼で生ずる燃焼ガスからの燃焼板フランジ部３３への入熱が抑制される。
【００１９】
また、図５、図６を参照して、本実施形態では、燃焼筐フランジ部４１の外周縁に、パッキン８の外周縁に対向する、ボディフランジ部２２側に起立した外側突起８１を曲成すると共に、燃焼板３に、パッキン８の内周縁に対向する、ボディフランジ部２２側に起立した内側突起８２を設けている。これによれば、外側突起８１と内側突起８２とによりパッキン８を位置決めできる。そのため、ボディフランジ部２２にパッキン装着溝を形成せずに済み、バーナボディ２を板金製としてコストダウンを図ることができる。
【００２０】
更に、本実施形態では、燃焼筐フランジ部４１がボディフランジ部２２に締結された状態で外側突起８１及び内側突起８２がボディフランジ部２２に当接するようにしている。そのため、ボディフランジ部２２への外側突起８１及び内側突起８２の当接で、パッキン８の圧縮代を適切に管理することができ、組立作業性が向上する。
【００２１】
尚、燃焼板３に、内側突起８２を形成した部材を取付けることも可能であるが、本実施形態では、分布板３２の外周縁に内側突起８２を曲成している。そのため、分布板３２を内側突起８２の形成部材に兼用して、部品点数を削減することができる。
【００２２】
また、本実施形態では、燃焼板フランジ部３３の外周縁の一部に、パッキン８に形成した孔８ｃに差し込まれる爪部８３を曲成している。これにより、パッキン８の位置決め精度を向上できる。尚、爪部８３は、燃焼筐フランジ部４１がボディフランジ部２２に締結された状態で、外側突起８１及び内側突起８２と共にボディフランジ部２２に当接し、パッキン８の圧縮代の管理に寄与する。
【００２３】
以上、本発明の実施形態について図面を参照して説明したが、本発明はこれに限定されない。例えば、上記実施形態では、燃焼筐４に給湯用の熱交換器５を収納しているが、暖房用等の給湯以外の用途の熱交換器を燃焼筐４に収納してもよい。また、上記実施形態では、バーナボディ２に下向きの開放面２１を形成しているが、開放面が上方を向くようにバーナを配置する燃焼装置にも同様に本発明を適用できる。
【符号の説明】
【００２４】
１…バーナ、２…バーナボディ、２１…開放面、２２…ボディフランジ部、３…燃焼板、３１…混合気噴出部、３２…分布板、３２ａ…分布孔、３３…燃焼板フランジ部、４…燃焼筐、４１…燃焼筐フランジ部、８…パッキン、８ａ…燃焼板フランジ部とボディフランジ部との間に介設されるパッキン部分、８ｂ…燃焼筐フランジ部とボディフランジ部との間に介設されるパッキン部分、８ｃ…パッキンに形成した孔、８１…外側突起、８２…内側突起、８３…爪部。
【図１】
2019109019.tif 000003
【図２】
2019109019.tif 000004
【図３】
2019109019.tif 000005
【図４】
2019109019.tif 000006
【図５】
2019109019.tif 000007
【図６】
2019109019.tif 000008